(57)【要約】【課題】有機溶媒への溶解性に優れる化合物を提供する。【解決手段】式（０）で表される化合物。式（０）中、Ｘ１及びＸ２は、−ＣＯ−Ｏ−又は−Ｏ−ＣＯ−を表す。Ｌ１及びＬ２は、炭素数１〜８のアルカンジイル基を表す。Ｒ１は、水素原子、メチル基又はエチル基を表す。Ｒ2は、水素原子、シアノ基、又はカルバモイル基を表す。Ｒ３は、炭素数１〜４のアルキル基又はトリフルオロメチル基を表す。Ｒ４ａ〜Ｒ７ａは、水素原子、炭素数１〜９のアルキル基、炭素数６〜１０の１価の芳香族炭化水素基、炭素数１〜８のアルコキシ基、ヒドロキシ基、シアノ基、カルボキシ基、ハロゲン原子、−ＳＯ２ＮＲ８Ｒ９又は−ＮＲ１１Ｒ１２を表す。Ｒ８、Ｒ９、Ｒ１１及びＲ１２は、水素原子、炭素数１〜８の１価の脂肪族炭化水素基等を表す。2011148991.tif 000030【選択図】なし【特許請求の範囲】
【請求項１】
式（０）で表される化合物。
2011148991.tif 000028
［式（０）中、Ｘ１及びＸ２は、互いに独立に、−ＣＯ−Ｏ−又は−Ｏ−ＣＯ−を表す。
Ｌ１及びＬ２は、互いに独立に、炭素数１〜８のアルカンジイル基を表す。
Ｒ１は、水素原子、メチル基又はエチル基を表す。
Ｒ2は、水素原子、シアノ基、又はカルバモイル基を表す。
Ｒ３は、炭素数１〜４のアルキル基又はトリフルオロメチル基を表す。
Ｒ４ａ〜Ｒ７ａは、互いに独立に、水素原子、炭素数１〜９のアルキル基、炭素数６〜１０の１価の芳香族炭化水素基、炭素数１〜８のアルコキシ基、ヒドロキシ基、シアノ基、カルボキシ基、ハロゲン原子、−ＳＯ２ＮＲ８Ｒ９又は−ＮＲ１１Ｒ１２を表し、該アルキル基、該アルコキシ基及び該芳香族炭化水素基に含まれる−ＣＨ２−は、−Ｏ−又は−ＣＯ−で置き換わっていてもよい。Ｒ４ａ及びＲ５ａ、Ｒ５ａ及びＲ６ａ並びにＲ６ａ及びＲ７ａは、互いに結合してベンゼン環の炭素を含んだ６〜７員環を形成してもよい。
Ｒ８及びＲ９は、互いに独立に、水素原子、炭素数１〜８の１価の脂肪族炭化水素基、炭素数７〜１２のアラルキル基又は炭素数６〜１０の１価の芳香族炭化水素基を表し、該脂肪族炭化水素基、該アラルキル基及び該芳香族炭化水素基に含まれる水素原子は、−ＯＲ１０に置換されていてもよい。
Ｒ１０は、水素原子、炭素数１〜８の１価の飽和炭化水素基又は炭素数６〜１０の１価の芳香族炭化水素基を表す。
Ｒ１１及びＲ１２は、互いに独立に、水素原子、炭素数１〜８の１価の脂肪族炭化水素基、炭素数２〜８のアシル基又はテトラヒドロフルフリル基を表す。Ｒ１１及びＲ１２は、互いに結合して窒素原子を含んだ環を形成してもよい。］
【請求項２】
式（Ｉ）で表される化合物。
2011148991.tif 000029
［式（Ｉ）中、Ｘ１及びＸ２は、互いに独立に、−ＣＯ−Ｏ−又は−Ｏ−ＣＯ−を表す。
Ｌ１及びＬ２は、互いに独立に、炭素数１〜８のアルカンジイル基を表す。
Ｒ１は、水素原子、メチル基又はエチル基を表す。
Ｒ2は、水素原子、シアノ基、又はカルバモイル基を表す。
Ｒ３は、炭素数１〜４のアルキル基又はトリフルオロメチル基を表す。
Ｒ４〜Ｒ７は、互いに独立に、水素原子、炭素数１〜８のアルキル基、炭素数１〜８のアルコキシ基、炭素数２〜８のアルコキシアルキル基、ヒドロキシ基、シアノ基、カルボキシ基、又は−ＳＯ２ＮＲ８Ｒ９を表す。
Ｒ８及びＲ９は、互いに独立に、水素原子、炭素数１〜８の１価の脂肪族炭化水素基、炭素数７〜１２のアラルキル基又は炭素数６〜１０の１価の芳香族炭化水素基を表し、該脂肪族炭化水素基、該アラルキル基及び該芳香族炭化水素基に含まれる水素原子は、−ＯＲ１０に置換されていてもよい。
Ｒ１０は、水素原子、炭素数１〜８の１価の飽和炭化水素基又は炭素数６〜１０の１価の芳香族炭化水素基を表す。］
【請求項３】
Ｘ１が、＊−Ｏ−ＣＯ−（＊は、Ｌ１との結合位置を表す。）である請求項１又は２記載の化合物。
【請求項４】
Ｒ2が、シアノ基である請求項１〜３のいずれかに記載の化合物。
【請求項５】
Ｒ４〜Ｒ７がいずれも水素原子である請求項２〜４のいずれかに記載の化合物。
【請求項６】
請求項１〜５のいずれかに記載の化合物を有効成分とする染料。
【請求項７】
請求項６記載の染料、樹脂及び溶剤を含む着色樹脂組成物。
【発明の詳細な説明】
【技術分野】
【０００１】
本発明は、染料として有用な化合物に関する。
【背景技術】
【０００２】
染料は、例えば、繊維材料、液晶表示装置、インクジェットなどの分野で反射光又は透過光を利用して色表示するために使用されている。
このような染料としては、例えば、下記式で表される化合物が知られている（特許文献１実施例１）。
【０００３】
2011148991.tif 000002
【先行技術文献】
【特許文献】
【０００４】
【特許文献１】特開２００４−２６３０号公報
【発明の概要】
【発明が解決しようとする課題】
【０００５】
従来から知られる上記の化合物は、有機溶媒への溶解性について十分に満足できるものではなかった。
【課題を解決するための手段】
【０００６】
本発明は、以下の［１］〜［７］を提供するものである。
［１］式（０）で表される化合物。
【０００７】
2011148991.tif 000003
【０００８】
［式（０）中、Ｘ１及びＸ２は、互いに独立に、−ＣＯ−Ｏ−又は−Ｏ−ＣＯ−を表す。
Ｌ１及びＬ２は、互いに独立に、炭素数１〜８のアルカンジイル基を表す。
Ｒ１は、水素原子、メチル基又はエチル基を表す。
Ｒ2は、水素原子、シアノ基、又はカルバモイル基を表す。
Ｒ３は、炭素数１〜４のアルキル基又はトリフルオロメチル基を表す。
Ｒ４ａ〜Ｒ７ａは、互いに独立に、水素原子、炭素数１〜９のアルキル基、炭素数６〜１０の１価の芳香族炭化水素基、炭素数１〜８のアルコキシ基、ヒドロキシ基、シアノ基、カルボキシ基、ハロゲン原子、−ＳＯ２ＮＲ８Ｒ９又は−ＮＲ１１Ｒ１２を表し、該アルキル基、該アルコキシ基及び該芳香族炭化水素基に含まれる−ＣＨ２−は、−Ｏ−又は−ＣＯ−で置き換わっていてもよい。Ｒ４ａ及びＲ５ａ、Ｒ５ａ及びＲ６ａ並びにＲ６ａ及びＲ７ａは、互いに結合してベンゼン環の炭素を含んだ６〜７員環を形成してもよい。
Ｒ８及びＲ９は、互いに独立に、水素原子、炭素数１〜８の１価の脂肪族炭化水素基、炭素数７〜１２のアラルキル基又は炭素数６〜１０の１価の芳香族炭化水素基を表し、該脂肪族炭化水素基、該アラルキル基及び該芳香族炭化水素基に含まれる水素原子は、−ＯＲ１０に置換されていてもよい。
Ｒ１０は、水素原子、炭素数１〜８の１価の飽和炭化水素基又は炭素数６〜１０の１価の芳香族炭化水素基を表す。
Ｒ１１及びＲ１２は、互いに独立に、水素原子、炭素数１〜８の１価の脂肪族炭化水素基、炭素数２〜８のアシル基又はテトラヒドロフルフリル基を表す。Ｒ１１及びＲ１２は、互いに結合して窒素原子を含んだ環を形成してもよい。］
【０００９】
［２］式（Ｉ）で表される化合物。
【００１０】
2011148991.tif 000004
［式（Ｉ）中、Ｘ１及びＸ２は、互いに独立に、−ＣＯ−Ｏ−又は−Ｏ−ＣＯ−を表す。
Ｌ１及びＬ２は、互いに独立に、炭素数１〜８のアルカンジイル基を表す。
Ｒ１は、水素原子、メチル基又はエチル基を表す。
Ｒ2は、水素原子、シアノ基、又はカルバモイル基を表す。
Ｒ３は、炭素数１〜４のアルキル基又はトリフルオロメチル基を表す。
Ｒ４〜Ｒ７は、互いに独立に、水素原子、炭素数１〜８のアルキル基、炭素数１〜８のアルコキシ基、炭素数２〜８のアルコキシアルキル基、ヒドロキシ基、シアノ基、カルボキシ基、又は−ＳＯ２ＮＲ８Ｒ９を表す。
Ｒ８及びＲ９は、互いに独立に、水素原子、炭素数１〜８の１価の脂肪族炭化水素基、炭素数７〜１２のアラルキル基又は炭素数６〜１０の１価の芳香族炭化水素基を表し、該脂肪族炭化水素基、該アラルキル基及び該芳香族炭化水素基に含まれる水素原子は、−ＯＲ１０に置換されていてもよい。
Ｒ１０は、水素原子、炭素数１〜８の１価の飽和炭化水素基又は炭素数６〜１０の１価の芳香族炭化水素基を表す。］
【００１１】
［３］Ｘ１が、＊−Ｏ−ＣＯ−（＊は、Ｌ１との結合位置を表す。）である上記［１］又は［２］記載の化合物。
［４］Ｒ2が、シアノ基である上記［１］〜［３］のいずれかに記載の化合物。
［５］Ｒ４〜Ｒ７が、いずれも水素原子である上記［２］〜［４］のいずれかに記載の化合物。
［６］上記［１］〜［５］のいずれかに記載の化合物を有効成分とする染料。
［７］上記［６］記載の染料、樹脂及び溶剤を含む着色樹脂組成物。
【発明の効果】
【００１２】
本発明の化合物は、有機溶媒への溶解性に優れる。
【発明を実施するための形態】
【００１３】
本発明の化合物は、式（０）で表される化合物（以下、化合物（０）ということがある。）である。本発明の化合物には、上記化合物の互変異性体も含まれる。
【００１４】
2011148991.tif 000005
【００１５】
［式（０）中、Ｘ１及びＸ２は、互いに独立に、−ＣＯ−Ｏ−又は−Ｏ−ＣＯ−を表す。
Ｌ１及びＬ２は、互いに独立に、炭素数１〜８のアルカンジイル基を表す。
Ｒ１は、水素原子、メチル基又はエチル基を表す。
Ｒ2は、水素原子、シアノ基、又はカルバモイル基を表す。
Ｒ３は、炭素数１〜４のアルキル基又はトリフルオロメチル基を表す。
Ｒ４ａ〜Ｒ７ａは、互いに独立に、水素原子、炭素数１〜９のアルキル基、炭素数６〜１０の１価の芳香族炭化水素基、炭素数１〜８のアルコキシ基、ヒドロキシ基、シアノ基、カルボキシ基、ハロゲン原子、−ＳＯ２ＮＲ８Ｒ９又は−ＮＲ１１Ｒ１２を表し、該アルキル基、該アルコキシ基及び該芳香族炭化水素基に含まれる−ＣＨ２−は、−Ｏ−又は−ＣＯ−で置き換わっていてもよい。Ｒ４ａ及びＲ５ａ、Ｒ５ａ及びＲ６ａ並びにＲ６ａ及びＲ７ａは、互いに結合してベンゼン環の炭素を含んだ６〜７員環を形成してもよい。
Ｒ８及びＲ９は、互いに独立に、水素原子、炭素数１〜８の１価の脂肪族炭化水素基、炭素数７〜１２のアラルキル基又は炭素数６〜１０の１価の芳香族炭化水素基を表し、該脂肪族炭化水素基、該アラルキル基及び該芳香族炭化水素基に含まれる水素原子は、−ＯＲ１０に置換されていてもよい。
Ｒ１０は、水素原子、炭素数１〜８の１価の飽和炭化水素基又は炭素数６〜１０の１価の芳香族炭化水素基を表す。
Ｒ１１及びＲ１２は、互いに独立に、水素原子、炭素数１〜８の１価の脂肪族炭化水素基、炭素数２〜８のアシル基又はテトラヒドロフルフリル基を表す。Ｒ１１及びＲ１２は、互いに結合して窒素原子を含んだ環を形成してもよい。］
【００１６】
本発明の化合物としては、式（Ｉ）で表される化合物（以下、化合物（Ｉ）ということがある。）が好ましい。
【００１７】
2011148991.tif 000006
【００１８】
［式（Ｉ）中、Ｘ１及びＸ２は、互いに独立に、−ＣＯ−Ｏ−又は−Ｏ−ＣＯ−を表す。
Ｌ１及びＬ２は、互いに独立に、炭素数１〜８のアルカンジイル基を表す。
Ｒ１は、水素原子、メチル基又はエチル基を表す。
Ｒ2は、水素原子、シアノ基、又はカルバモイル基を表す。
Ｒ３は、炭素数１〜４のアルキル基又はトリフルオロメチル基を表す。
Ｒ４〜Ｒ７は、互いに独立に、水素原子、炭素数１〜８のアルキル基、炭素数１〜８のアルコキシ基、炭素数２〜８のアルコキシアルキル基、ヒドロキシ基、シアノ基、カルボキシ基、又は−ＳＯ２ＮＲ８Ｒ９を表す。
Ｒ８及びＲ９は、互いに独立に、水素原子、炭素数１〜８の１価の脂肪族炭化水素基、炭素数７〜１２のアラルキル基又は炭素数６〜１０の１価の芳香族炭化水素基を表し、該脂肪族炭化水素基、該アラルキル基及び該芳香族炭化水素基に含まれる水素原子は、−ＯＲ１０に置換されていてもよい。
Ｒ１０は、水素原子、炭素数１〜８の１価の飽和炭化水素基又は炭素数６〜１０の１価の芳香族炭化水素基を表す。］
【００１９】
Ｘ１及びＸ２は、−ＣＯ−Ｏ−又は−Ｏ−ＣＯ−であり、結合手の向きは互いに同一であっても異なっていてもよい。
中でも、Ｘ１は、＊−Ｏ−ＣＯ−（＊は、Ｌ１との結合位置を表す）であることが好ましい。Ｘ１が＊−Ｏ−ＣＯ−であると、本発明の化合物の製造が容易であることため、好ましい。
【００２０】
Ｌ１及びＬ２は、互いに独立に、炭素数１〜８のアルカンジイル基であり、炭素数１〜４のアルカンジイル基であることが好ましく、炭素数１〜３のアルカンジイル基であることがより好ましく、炭素数１又は２のアルカンジイル基であることがさらに好ましい。
炭素数１〜８のアルカンジイル基としては、例えば、メチレン基、エチレン基、プロパン−１，３−ジイル基、プロパン−１，２−ジイル基、ブタン−１，４−ジイル基、ブタン−１，３−ジイル基、ペンタン−１，５−ジイル基、ヘキサン−１，６−ジイル基、ヘプタン−１，７−ジイル基、オクタン−１，８−ジイル基等が挙げられる。
【００２１】
Ｒ１は、水素原子、メチル基又はエチル基である。
【００２２】
−Ｌ１−Ｘ１−Ｌ２−Ｘ２−Ｒ１は、２個のエステル結合を有する基、もしくは１個のエステル結合及び１個のカルボキシ基を有する基である。このような基を有すると、化合物の有機溶媒への溶解度が向上する傾向があり、好ましい。
−Ｌ１−Ｘ１−Ｌ２−Ｘ２−Ｒ１としては、例えば、式（ｆ−１）〜式（ｆ−１９）で表される基等が挙げられる。
【００２３】
2011148991.tif 000007
【００２４】
中でも、式（ｆ−４）、式（ｆ−５）及び式（ｆ−１９）で表される基が、原料を入手しやすいため、好ましい。
【００２５】
Ｒ２は、水素原子、シアノ基、又はカルバモイル基である。中でも、シアノ基が、原料を入手しやすいため、好ましい。
【００２６】
Ｒ３は、炭素数１〜４のアルキル基又はトリフルオロメチル基である。
炭素数１〜４のアルキル基としては、例えば、メチル基、エチル基、ｎ−プロピル基、イソプロピル基、ｎ−ブチル基、ｓｅｃ−ブチル基、ｔｅｒｔ−ブチル基等が挙げられる。
【００２７】
Ｒ４ａ〜Ｒ７ａは、互いに独立に、水素原子、炭素数１〜９のアルキル基、炭素数６〜１０の１価の芳香族炭化水素基、炭素数１〜８のアルコキシ基、ヒドロキシ基、シアノ基、カルボキシ基、ハロゲン原子、−ＳＯ２ＮＲ８Ｒ９又は−ＮＲ１１Ｒ１２であり、該アルキル基、該アルコキシ基、該芳香族炭化水素基に含まれる−ＣＨ２−は、−Ｏ−又は−ＣＯ−で置き換わっていてもよい。Ｒ４ａ及びＲ５ａ、Ｒ５ａ及びＲ６ａ並びにＲ６ａ及びＲ７ａは、互いに結合してベンゼン環の炭素を含んだ６〜７員環を形成してもよい。
【００２８】
Ｒ４ａ〜Ｒ７ａは、互いに独立に、水素原子、炭素数１〜８のアルキル基、炭素数６〜１０の１価の芳香族炭化水素基、炭素数１〜８のアルコキシ基、炭素数２〜８のアルコキシアルキル基、ヒドロキシ基、シアノ基、カルボキシ基、ハロゲン原子、−ＳＯ２ＮＲ８Ｒ９又は−ＮＲ１１Ｒ１２であることが好ましい。Ｒ４ａ〜Ｒ７ａがこれらの基であると、原料の入手が容易であり、かつ本発明の化合物は、有機溶媒への溶解性に優れる傾向がある。
【００２９】
Ｒ４〜Ｒ７は、互いに独立に、水素原子、炭素数１〜８のアルキル基、炭素数１〜８のアルコキシ基、炭素数２〜８のアルコキシアルキル基、ヒドロキシ基、シアノ基、カルボキシ基、又は−ＳＯ２ＮＲ８Ｒ９である。
Ｒ８及びＲ９は、互いに独立に、水素原子、炭素数１〜８の１価の脂肪族炭化水素基、炭素数７〜１２のアラルキル基、炭素数６〜１０の１価の芳香族炭化水素基、又はを表し、該脂肪族炭化水素基、該アラルキル基及び該芳香族炭化水素基に含まれる水素原子は、−ＯＲ１０に置換されていてもよい。Ｒ１０は、水素原子、炭素数１〜８の１価の飽和炭化水素基又は炭素数６〜１０の１価の芳香族炭化水素基を表す。
【００３０】
化合物（０）におけるＲ４ａ〜Ｒ７ａ、又は化合物（Ｉ）におけるＲ４〜Ｒ７は、いずれも水素原子であることが好ましい。水素原子であると、色濃度が高くなる傾向があるため、好ましい。
【００３１】
Ｒ４ａ〜Ｒ７ａにおけるハロゲン原子としては、フッ素原子、塩素原子、臭素原子、ヨウ素原子が挙げられる。
また、Ｒ４ａ〜Ｒ７ａの少なくとも１つが、ハロゲン原子であることが好ましく、フッ素原子であることがより好ましい。Ｒ４ａ〜Ｒ７ａがこれらであると、有機溶媒への溶解性が高くなるため、好ましい。
【００３２】
炭素数１〜８のアルキル基としては、例えば、メチル基、エチル基、ｎ−プロピル基、イソプロピル基、ｎ−ブチル基、ｓｅｃ−ブチル基、ｔｅｒｔ−ブチル基、ｎ−ペンチル基、ｎ−ヘキシル基、ｎ−ヘプチル基、ｎ−オクチル基、１−メチルブチル基、１，１，３，３−テトラメチルブチル基、１，５−ジメチルヘキシル基及び２−エチルヘキシル基等が挙げられる。
【００３３】
炭素数１〜８のアルコキシ基としては、例えば、メトキシ基、エトキシ基、プロポキシ基、ブトキシ基、ペンチルオキシ基、ヘキシルオキシ基、ヘプチルオキシ基、オクチルオキシ基、２−エチルヘキシルオキシ基等が挙げられる。
【００３４】
アルキル基に含まれる−ＣＨ２−が−Ｏ−又は−ＣＯ−で置き換わった基としては、炭素数２〜８のアルコキシアルキル基、炭素数２〜８のアルコキシカルボニル基、炭素数２〜９のアルカノイル基及び炭素数３〜９のアルコキシアルコキシカルボニル基が挙げられる。
アルコキシ基に含まれる−ＣＨ２−が−Ｏ−又は−ＣＯ−で置き換わった基としては、炭素数２〜８のアルコキシカルボニルオキシ基、炭素数２〜９のアルカノイルオキシ基、及び炭素数２〜８のアルコキシアルコキシ基が挙げられる。
【００３５】
炭素数２〜８のアルコキシアルキル基としては、例えば、メトキシメチル基、メトキシエチル基、メトキシプロピル基、メトキシブチル基、メトキシペンチル基、１−エトキシプロピル基、２−エトキシプロピル基、１−エトキシ−１−メチルエチル基、１−メチル−２−エトキシエチル基、１−（１−メチルエトキシ）プロピル基、２−（１−メチルエトキシ）プロピル基、１−（１−メチルエトキシ）−１−メチルエチル基、２−（１−メチルエトキシ）−１−メチルエチル基、３−エトキシプロピル基等が挙げられる。
【００３６】
炭素数２〜８のアルコキシカルボニル基としては、例えば、メトキシカルボニル基、ｔｅｒｔ−ブトキシカルボニル基等が挙げられる。
炭素数２〜９のアルカノイル基としては、例えば、アセチル基、プロピオニル基、イソブチリル基、バレリル基及びイソバレリル基等が挙げられる。
炭素数３〜９のアルコキシアルコキシカルボニル基としては、例えば、メトキシメトキシカルボニル基、メトキシエトキシカルボニル基、エトキシエトキシカルボニル基、プロポキシエトキシカルボニル基、ブトキシエトキシカルボニル基、ペンチルオキシエトキシカルボニル基等が挙げられる。
炭素数２〜８のアルコキシカルボニルオキシ基としては、例えば、メトキシカルボニルオキシ基、エトキシカルボニルオキシ基、ｎ−プロポキシカルボニルオキシ基、イソプロポキシカルボニルオキシ基、ｎ−ブトキシカルボニルオキシ基、イソブトキシカルボニルオキシ基、sec−ブトキシカルボニルオキシ基及びｎ−ペンチルオキシカルボニルオキシ基等が挙げられる。
【００３７】
炭素数２〜９のアルカノイルオキシ基としては、例えば、アセチルオキシ基、ピバロイルオキシ基等が挙げられる。
炭素数２〜８のアルコキシアルコキシ基としては、例えば、２−メトキシエチル基、２−エトキシエチル基、３−メトキシプロピル基、３−エトキシプロピル基、４−メトキシブチル基及び４−エトキシブチル基等が挙げられる。
炭素数６〜１０の１価の芳香族炭化水素基としては、例えば、フェニル基、ベンジル基、フェニルエチル基等が挙げられる。
前記芳香族炭化水素基に含まれる−ＣＨ２−が−Ｏ−又は−ＣＯ−で置き換わった基としては、例えば、フェノキシ基、ベンジルオキシ基、ベンゾイルオキシ基、フェノキシカルボニルオキシ基等が挙げられる。
【００３８】
Ｒ１１及びＲ１２は、それぞれ独立に、水素原子、炭素数１〜８の１価の脂肪族炭化水素基、炭素数２〜８のアシル基又はテトラヒドロフルフリル基である。Ｒ１１及びＲ１２は、互いに結合して窒素原子を含んだ環を形成してもよい。
炭素数１〜８の１価の脂肪族炭化水素基としては、炭素数１〜８のアルキル基及び炭素数２〜８のアルケニル基が挙げられる。炭素数１〜８のアルキル基としては、上記のものと同じ基が挙げられる。
炭素数２〜８のアルケニル基としては、例えば、ビニル基、イソプロペニル基、ペンテニル基、ヘキセニル基等が挙げられる。
炭素数２〜８のアシル基としては、例えば、ホルミル基、アセチル基、プロピオニル基、ブチリル基、バレリル基、ピバロイル基、ベンゾイル基等が挙げられる。
【００３９】
Ｒ４ａ〜Ｒ７ａにおける−ＮＲ１１Ｒ１２としては、例えば、Ｎ−メチルアミノ基、Ｎ，Ｎ−ジメチルアミノ基、Ｎ−エチルアミノ基、Ｎ，Ｎ−ジエチルアミノ基、Ｎ−プロピルアミノ基、Ｎ，Ｎ−ジプロピルアミノ基、Ｎ−ブチルアミノ基、Ｎ，Ｎ−ジブチルアミノ基、Ｎ−ペンチルアミノ基、Ｎ−アセチルアミノ基等が挙げられる。
Ｒ１１及びＲ１２が互いに結合して窒素原子を含んだ環を形成した−ＮＲ１１Ｒ１２としては、例えば、１−ピラゾリル基、ピロリジノ基、ピペリジノ基、モルホリノ基等が挙げられる。
中でも、有機溶媒への溶解性の点で、Ｎ−アセチルアミノ基が好ましい。
【００４０】
Ｒ４ａ〜Ｒ７ａ及びＲ４〜Ｒ７における−ＳＯ２ＮＲ８Ｒ９としては、無置換のスルファモイル基、Ｎ−１置換スルファモイル基及びＮ，Ｎ−２置換スルファモイル基が挙げられる。
【００４１】
Ｎ−１置換スルファモイル基としては、例えば、Ｎ−メチルスルファモイル基、Ｎ−エチルスルファモイル基、Ｎ−プロピルスルファモイル基、Ｎ−イソプロピルスルファモイル基、Ｎ−ブチルスルファモイル基、Ｎ−イソブチルスルファモイル基、Ｎ−ｓｅｃ−ブチルスルファモイル基、Ｎ−ｔｅｒｔ−ブチルスルファモイル基、Ｎ−ペンチルスルファモイル基、Ｎ−（１−エチルプロピル）スルファモイル基、Ｎ−（１，１−ジメチルプロピル）スルファモイル基、Ｎ−（１，２−ジメチルプロピル）スルファモイル基、Ｎ−（２，２−ジメチルプロピル）スルファモイル基、Ｎ−（１−メチルブチル）スルファモイル基、Ｎ−（２−メチルブチル）スルファモイル基、Ｎ−（３−メチルブチル）スルファモイル基、Ｎ−シクロペンチルスルファモイル基、Ｎ−ヘキシルスルファモイル基、Ｎ−（１，３−ジメチルブチル）スルファモイル基、Ｎ−（３，３−ジメチルブチル）スルファモイル基、Ｎ−ヘプチルスルファモイル基、Ｎ−（１−メチルヘキシル）スルファモイル基、Ｎ−（１，４−ジメチルペンチル）スルファモイル基、Ｎ−オクチルスルファモイル基、Ｎ−（２−エチルヘキシル）スルファモイル基、Ｎ−（１，５−ジメチル）ヘキシルスルファモイル基、Ｎ−（１，１，２，２−テトラメチルブチル）スルファモイル基、、Ｎ−アリルスルファモイル基等の脂肪族炭化水素基で置換されたＮ−１置換スルファモイル基；
Ｎ−（２−ヒドロキシエチル）スルファモイル基、Ｎ−（３−ヒドロキシプロピル）スルファモイル基、Ｎ−（２−ヒドロキシプロピル）スルファモイル基、Ｎ−（２，３−ジヒドロキシプロピル）スルファモイル基、Ｎ−（２−ヒドロキシブチル）スルファモイル基、Ｎ−（４−ヒドロキシブチル）スルファモイル基、Ｎ−（１−ヒドロキシメチルエチル）スルファモイル基等のヒドロキシ基を有するアルキル基又はシクロアルキル基で置換されたＮ−１置換スルファモイル基；
Ｎ−（２−メトキシエチル）スルファモイル基、Ｎ−（２−エトキシエチル）スルファモイル基、Ｎ−（１−メトキシプロピル）スルファモイル基、Ｎ−メトキシプロピルスルファモイル基、Ｎ−エトキシプロピルスルファモイル基、Ｎ−プロポキシプロピルスルファモイル基、Ｎ−イソプロポキシプロピルスルファモイル基、Ｎ−ヘキシロキシプロピルスルファモイル基、Ｎ−（２−エチルヘキシロキシプロピル）スルファモイル基、Ｎ−（３−ｔｅｒｔ−ブトキシプロピル）スルファモイル基、Ｎ−（４，４−ジメトキシブチル）スルファモイル基、Ｎ−メトキシヘキシルスルファモイル基等のアルコキシ基を有するアルキル基又はシクロアルキル基で置換されたＮ−１置換スルファモイル基；
Ｎ−[１−（２−エトキシエトキシ）プロピル]スルファモイル基、等のアルコキシアルキル基を有するアルキル基又はシクロアルキル基で置換されたＮ−１置換スルファモイル基；
Ｎ−フェニルスルファモイル基、Ｎ−（１−ナフチル）スルファモイル基等のアリール基で置換されたＮ−１置換スルファモイル基；
Ｎ−ベンジルスルファモイル基、Ｎ−（１−フェニルエチル）スルファモイル基、Ｎ−（２−フェニルエチル）スルファモイル基、Ｎ−（３−フェニルプロピル）スルファモイル基、Ｎ−（４−フェニルブチル）スルファモイル基、Ｎ−[２−（２−ナフチル）エチル]スルファモイル基、Ｎ−[２−（４−メチルフェニル）エチル]スルファモイル基、Ｎ−（３−フェニル−１−プロピル）スルファモイル基、Ｎ−（３−フェニル−１−メチルプロピル）スルファモイル基等のアラルキル基で置換されたＮ−１置換スルファモイル基；
Ｎ−（３，４，５−トリメトキシベンジル）スルファモイル基、Ｎ−[２−（３，４−ジメトキシフェニル）エチル]スルファモイル基、Ｎ−[２−（２−エトキシフェニル）エチル]スルファモイル基等の置換基を有するアラルキル基で置換されたＮ−１置換スルファモイル基；
【００４２】
Ｎ，Ｎ−２置換スルファモイル基としては、例えば、Ｎ，Ｎ−ジメチルスルファモイル基、Ｎ，Ｎ−エチルメチルスルファモイル基、Ｎ，Ｎ−ジエチルスルファモイル基、Ｎ，Ｎ−プロピルメチルスルファモイル基、Ｎ，Ｎ−イソプロピルメチルスルファモイル基、Ｎ，Ｎ−ｔｅｒｔ−ブチルメチルスルファモイル基、Ｎ，Ｎ−ブチルエチルスルファモイル基、Ｎ，Ｎ−ビス（１−メチルプロピル）スルファモイル基、Ｎ，Ｎ−ヘプチルメチルスルファモイル基等のアルキル基で置換されたＮ，Ｎ−置換スルファモイル基；
Ｎ，Ｎ−ビス（２−ヒドロキシエチル）スルファモイル基、Ｎ，Ｎ−ビス（２−メトキシエチル）スルファモイル基、Ｎ，Ｎ−ビス（２−エトキシエチル）スルファモイル基等の置換アルキル基で置換されたＮ，Ｎ−２置換スルファモイル基等が挙げられる。
【００４３】
−ＳＯ２ＮＲ８Ｒ９に含まれるＲ８及びＲ９としては、炭素数６〜８の分枝鎖状アルキル基、アリル基、フェニル基、炭素数８から１０のアラルキル基、炭素数２〜８のヒドロキシ基含有アルキル及びアリール基又は炭素数２〜８のアルコキシ基含有アルキル基又はアリール基が好ましく、２−エチルヘキシル基であることが特に好ましい。
【００４４】
化合物（０）としては、例えば、化合物（Ｉ−１）〜化合物（Ｉ−１０２）等が挙げられる。Ｙ１は、−Ｌ１−Ｘ１−Ｌ２−Ｘ２−Ｒ１を表す。表１中、Ｙ１の欄は、上記に例示した基の式の番号を記す。表１に示す化合物のうち、化合物（Ｉ−１）〜化合物（Ｉ−４６）が化合物（Ｉ）に相当する。
【００４５】
2011148991.tif 000008
【００４６】
【表１】
2011148991.tif 000009
【００４７】
2011148991.tif 000010
【００４８】
2011148991.tif 000011
【００４９】
中でも、有機溶媒への溶解性が高いため、化合物（Ｉ−１）、化合物（Ｉ−２）、化合物（Ｉ−４９）及び化合物（Ｉ−５６）が好ましい。
【００５０】
本発明の化合物を製造する方法の一例として、化合物（Ｉ）を製造する方法について説明する。化合物（０）のうち化合物（Ｉ）ではない化合物も、下記に示す化合物（Ｉ）の製造方法と同様の方法により製造することができる。
アゾ化合物は、特公平７−８８６３３号公報記載の方法、ジアゾニウム塩とピリドン化合物とをジアゾカップリングすることにより製造できる。
式（ａ２）で表されるジアゾニウム塩は、例えば、式（ａ１）で表されるアミンを、亜硝酸、亜硝酸塩又は亜硝酸エステルによりジアゾ化することによって得ることができる。
【００５１】
2011148991.tif 000012
【００５２】
［式（ａ１）及び式（ａ２）中、Ｒ４〜Ｒ７は、式（Ｉ）におけるものと同じ意味を表す。Ａ１は、無機又は有機アニオンを表す。］
【００５３】
前記無機アニオンとしては、例えば、フッ化物イオン、塩化物イオン、臭化物イオン、ヨウ化物イオン、過塩素酸イオン、次亜塩素酸イオン等が挙げられる。
前記有機アニオンとしては、例えば、ＣＨ３ＣＯＯ−、Ｃ６Ｈ５ＣＯＯ−等が挙げられる。
好ましくは、塩化物イオン、臭化物イオン、ＣＨ３ＣＯＯ−等が挙げられる。
【００５４】
Ｘ１が＊−Ｏ−ＣＯ−である化合物（Ｉ）（＊はＬ１との結合手を表す。）、すなわち式（Ｉ−ａ）で表される化合物（以下「化合物（Ｉ−ａ）」ということがある）の製造方法について説明する。
【００５５】
2011148991.tif 000013
【００５６】
［式（Ｉ−ａ）中、Ｒ１〜Ｒ７、Ｌ１、Ｌ２及びＸ２は、式（Ｉ）におけるものと同じ意味を表す。］
【００５７】
式（ａ２）で表されるジアゾニウム塩と、式（ｂ１）で表される化合物とを、水性溶媒中でジアゾカップリングすることにより、式（ＩＩ−ａ）で表される化合物（以下「化合物（ＩＩ−ａ）」ということがある）を製造することができる。反応温度は、−５℃〜６０℃が好ましく、０℃〜３０℃がより好ましい。反応時間は、１時間〜１２時間が好ましく、１時間〜４時間がより好ましい。前記水性溶媒としては、例えば、Ｎ−メチルピロリドン等が挙げられる。
【００５８】
2011148991.tif 000014
【００５９】
［式（ｂ１）及び式（ＩＩ−ａ）中、Ｒ２〜Ｒ７及びＬ１は、式（Ｉ）におけるものと同じ意味を表す。］
【００６０】
次いで、化合物（ＩＩ−ａ）と式（ｂ２）で表される化合物（以下「化合物（ｂ２）」ということがある）とを、有機溶媒の存在下で反応させることで、化合物（Ｉ−ａ）を得ることができる。反応温度は、３０℃〜１８０℃が好ましく、５０℃〜１２０℃がより好ましい。反応時間は、１時間〜１２時間が好ましく、１時間〜４時間がより好ましい。
【００６１】
2011148991.tif 000015
【００６２】
［式（ｂ２）中、Ｒ１、Ｌ２、及びＸ２は、式（Ｉ）におけるものと同じ意味を表す。Ｚ１は塩素原子又は臭素原子を表す。］
【００６３】
前記有機溶媒としては、トルエン、キシレン等の炭化水素系溶媒、クロロベンゼン、ジクロロベンゼン、クロロホルム等のハロゲン化炭化水素系溶媒、メタノール、エタノール、ブタノール等のアルコール系溶媒、ニトロベンゼンなどのニトロ炭化水素系溶媒、メチルイソブチルケトン等のケトン系溶媒、１−メチル−２−ピロリドン等のアミド系溶媒が挙げられる。
【００６４】
化合物（ｂ２）の使用量は、化合物（ＩＩ−ａ）１モルに対して、好ましくは１モル以上８モル以下であり、より好ましくは１モル以上４モル以下である。
【００６５】
次に、Ｘ１が＊−ＣＯ−Ｏ−である化合物（Ｉ）（＊はＬ１との結合手を表す。）、すなわち式（Ｉ−ｂ）で表される化合物（以下「化合物（Ｉ−ｂ）」ということがある）の製造方法について説明する。
【００６６】
2011148991.tif 000016
【００６７】
［式（Ｉ−ｂ）中、Ｒ１〜Ｒ７、Ｌ１、Ｌ２及びＸ２は、式（Ｉ）におけるものと同じ意味を表す。］
【００６８】
前記と同様にして、式（ａ２）で表されるジアゾニウム塩と式（ｂ３）で表される化合物とを、水性溶媒中でジアゾカップリングすることにより、式（ＩＩ−ｂ）で表される化合物（以下「化合物（ＩＩ−ｂ）」ということがある）を製造できる。反応温度は、−５℃〜６０℃が好ましく、０℃〜３０℃がより好ましい。反応時間は、１時間〜１２時間が好ましく、１時間〜４時間がより好ましい。前記水性溶媒としては、前記で挙げたものと同じ溶媒が挙げられる。
【００６９】
2011148991.tif 000017
【００７０】
［式（ｂ３）及び式（ＩＩ−ｂ）中、Ｒ２〜Ｒ７及びＬ１は、式（Ｉ）におけるものと同じ意味を表す。］
【００７１】
次いで、化合物（ＩＩ−ｂ）と式（ｂ４）で表される化合物（以下「化合物（ｂ４）」ということがある）とを、有機溶媒の存在下、反応させることにより、化合物（Ｉ−ｂ）を得ることができる。反応温度は、３０℃〜１８０℃が好ましく、５０℃〜１２０℃がより好ましい。反応時間は、１時間〜１２時間が好ましく、１時間〜４時間がより好ましい。
Ｒ１−Ｘ２−Ｌ２−ＯＨ          （ｂ４）
［式（ｂ４）中、Ｒ１、Ｘ２及びＬ２は、式（Ｉ）におけるものと同じ意味を表す。］
ここで用いられる有機溶媒としては、化合物（ＩＩ−ａ）と化合物（ｂ２）との反応で用いられるものと同じ溶媒が挙げられる。
【００７２】
化合物（ｂ４）の使用量は、化合物（ＩＩ−ｂ）１モルに対して、好ましくは１モル以上８モル以下であり、より好ましくは１モル以上４モル以下である。
【００７３】
反応の際、反応をスムーズに進行させるために、酸性触媒を加えるとさらに好ましい。
酸性触媒としては、硫酸、塩酸などの鉱酸などが挙げられる。
【００７４】
これらの触媒の使用量は任意であるが、化合物（ｂ４）１モルに対して、
好ましくは０．０１モル以上４モル以下、さらに好ましくは、０．８〜２モルである。
【００７５】
反応混合物から目的化合物である化合物（Ｉ）（すなわち、化合物（Ｉ−ａ）又は化合物（Ｉ−ｂ））を取得する方法は特に限定されず、公知の種々の手法が採用できる。例えば、反応混合物を酸（例えば、酢酸等）及び水と共に混合し、析出した結晶を濾取することが好ましい。前記酸は、予め酸の水溶液を調製してから、反応混合物を前記水溶液に添加することが好ましい。反応混合物を添加するときの温度は、好ましくは１０℃以上５０℃以下、より好ましくは２０℃以上５０℃以下、さらに好ましくは２０℃以上３０℃以下である。また反応混合物を酸の水溶液に添加後は、同温度で０．５〜２時間程度攪拌することが好ましい。濾取した結晶は、水などで洗浄し、次いで乾燥することが好ましい。また必要に応じて、再結晶などの公知の手法によってさらに精製してもよい。
【００７６】
かくして得られた本発明の化合物は、染料として有用である。また、本発明の化合物は、有機溶媒への溶解性が高いことから、特に、液晶表示装置などの表示装置のカラーフィルターに用いられる染料として有用である。
【００７７】
本発明の染料は、本発明の化合物を有効成分とする染料である。
本発明の着色樹脂組成物は、着色剤（以下「着色剤（Ａ）」という場合がある）として本発明の染料を含み、さらに樹脂（Ｂ）及び溶剤（Ｅ）を含む。本発明の着色樹脂組成物は、さらに重合性化合物（Ｃ）及び重合開始剤（Ｄ）を含むことが好ましい。
【００７８】
着色剤（Ａ）は、本発明の染料のほかに、さらに顔料及び／又は本発明の染料とは異なる染料を含んでいてもよい。
本発明の染料とは異なる染料としては、カラーインデックス（Colour Index）（The Society of Dyers and Colourists 出版）で、ソルベント（Solvent）、アシッド（Acid）、ベーシック（Basic）、リアクティブ（reactive）、ダイレクト（Direct）、ディスパース（Disperse）、又はバット（Vat）に分類されている染料等が挙げられる。より具体的には、以下のようなカラーインデックス（Ｃ．Ｉ．）番号の染料が挙げられるが、これらに限定されるわけではない。
Ｃ．Ｉ．ソルベントイエロー２５，７９，８１，８２、８３，８９；
Ｃ．Ｉ．アシッドイエロー７，２３，２５，４２，６５，７６；
Ｃ．Ｉ．リアクティブイエロー２，７６，１１６；
Ｃ．Ｉ．ダイレクトイエロー４，２８，４４，８６，１３２；
Ｃ．Ｉ．ディスパースイエロー５４，７６；
Ｃ．Ｉ．ソルベントオレンジ４１，５４，５６，９９；
Ｃ．Ｉ．アシッドオレンジ５６，７４，９５，１０８，１４９，１６２；
Ｃ．Ｉ．リアクティブオレンジ１６；
Ｃ．Ｉ．ダイレクトオレンジ２６；
Ｃ．Ｉ．ソルベントレッド２４，４９，９０，９１，１１８，１１９，１２２，１２４，１２５，１２７，１３０，１３２，１６０，２１８；
Ｃ．Ｉ．アシッドレッド７３，９１，９２，９７，１３８，１５１，２１１，２７４，２８９；
Ｃ．Ｉ．アシッドバイオレット１０２；
Ｃ．Ｉ．ソルベントグリーン１，５；
Ｃ．Ｉ．アシッドグリーン３，５，９，２５，２８；
Ｃ．Ｉ．ベーシックグリーン１；
Ｃ．Ｉ．バットグリーン１等。
【００７９】
顔料としては、顔料分散レジストに通常用いられる有機顔料又は無機顔料が挙げられる。無機顔料としては、金属酸化物や金属錯塩のような金属化合物が挙げられ、具体的には、鉄、コバルト、アルミニウム、カドミウム、鉛、銅、チタン、マグネシウム、クロム、亜鉛、アンチモン等の金属の酸化物又は複合金属酸化物が挙げられる。また有機顔料及び無機顔料として具体的には、カラーインデックス（Colour Index）（The Society of Dyers and Colourists 出版）で、ピグメント（Pigment）に分類されている化合物が挙げられる。より具体的には、以下のようなカラーインデックス（Ｃ．Ｉ．）番号の顔料が挙げられるが、これらに限定されるわけではない。
【００８０】
Ｃ．Ｉ．ピグメントイエロー２０、２４、３１、５３、８３、８６、９３、９４、１０９、１１０、１１７、１２５、１３７、１３８、１３９、１４７、１４８、１５０、１５３、１５４、１６６、１７３及び１８０；
Ｃ．Ｉ．ピグメントオレンジ１３、３１、３６、３８、４０、４２、４３、５１、５５、５９、６１、６４、６５及び７１；
Ｃ．Ｉ．ピグメントレッド９、９７、１０５、１２２、１２３、１４４、１４９、１６６、１６８、１７６、１７７、１８０、１９２、２１５、２１６、２２４、２４２、２５４、２５５及び、２６４；
Ｃ．Ｉ．ピグメントバイオレット１４、１９、２３、２９、３２、３３、３６、３７及び３８；
Ｃ．Ｉ．ピグメントグリーン７、１０、１５、２５、３６、４７及び５８等。
【００８１】
着色剤（Ａ）の含有量は、着色樹脂組成物中の固形分に対して、好ましくは５〜６０質量％である。ここで、固形分とは、着色樹脂組成物中の、溶剤を除く成分の合計をいう。
着色剤（Ａ）中に含まれる本発明の染料の含有量は、好ましくは３〜１００質量％である。
本発明の染料とは異なる染料、及び顔料は、それぞれ単独でも２種以上を組み合わせて本発明の染料と共に用いてもよい。
【００８２】
樹脂（Ｂ）としては、特に限定されるものではなく、どのような樹脂を用いてもよい。樹脂（Ｂ）は、アルカリ可溶性樹脂であることが好ましく、（メタ）アクリル酸から導かれる構造単位を含む樹脂であることがより好ましい。ここで、（メタ）アクリル酸は、アクリル酸及び／又はメタクリル酸を表す。
【００８３】
樹脂（Ｂ）としては、具体的には、メタクリル酸／ベンジルメタクリレート共重合体、メタクリル酸／ベンジルメタクリレート／スチレン共重合体、メタクリル酸／ベンジルメタクリレート／イソボルニルメタクリレート共重合体、メタクリル酸／スチレン／ベンジルメタクリレート／Ｎ−フェニルマレイミド共重合体、メタクリル酸／スチレン／グリシジルメタクリレート共重合体等が挙げられる。
【００８４】
樹脂（Ｂ）のポリスチレン換算重量平均分子量は、５，０００〜３５，０００が好ましく、より好ましくは６，０００〜３０，０００である。
樹脂（Ｂ）の酸価は、５０〜１５０が好ましく、より好ましくは６０〜１３５である。
樹脂（Ｂ）の含有量は、着色樹脂組成物の固形分に対して、好ましくは７〜６５質量％であり、より好ましくは１３〜６０質量％である。
【００８５】
重合性化合物（Ｃ）は、重合開始剤（Ｄ）から発生した活性ラジカル、酸等によって重合しうる化合物であれば、特に限定されるものではない。例えば、重合性の炭素−炭素不飽和結合を有する化合物等が挙げられる。
【００８６】
前記の重合性化合物（Ｃ）としては、重合性基を３個以上有する光重合性化合物であることが好ましい。重合性基を３以上有する光重合性化合物としては、例えば、ペンタエリスリトールテトラアクリレート、ペンタエリスリトールテトラメタクリレート、ジペンタエリスリトールペンタアクリレート、ジペンタエリスリトールペンタメタクリレート、ジペンタエリスリトールヘキサアクリレート、ジペンタエリスリトールヘキサメタクリレート等が挙げられる。前記の光重合性化合物（Ｃ）は、単独でも２種以上を組み合わせて用いてもよい。
重合性化合物（Ｃ）の含有量は、着色樹脂組成物の固形分に対して、５〜６５質量％であることが好ましく、より好ましくは１０〜６０質量％である。
【００８７】
前記の重合開始剤（Ｄ）としては、活性ラジカル発生剤、酸発生剤等が挙げられる。活性ラジカル発生剤は熱又は光の作用によって活性ラジカルを発生する。前記の活性ラジカル発生剤としては、アルキルフェノン化合物、チオキサントン化合物、トリアジン化合物、オキシム化合物等が挙げられる。
前記のアルキルフェノン化合物としては、例えば、２−メチル−２−モルホリノ−１−（４−メチルスルファニルフェニル）プロパン−１−オン、２−ヒドロキシ−２−メチル−１−フェニルプロパン−１−オン、ベンジルジメチルケタール、２−ヒドロキシ−２−メチル−１−〔４−（２−ヒドロキシエトキシ）フェニル〕プロパン−１−オン、１−ヒドロキシシクロヘキシルフェニルケトン等が挙げられる。
【００８８】
前記のチオキサントン化合物としては、例えば、２−イソプロピルチオキサントン、４−イソプロピルチオキサントン、２，４−ジエチルチオキサントン、２，４−ジクロロチオキサントン、１−クロロ−４−プロポキシチオキサントン等が挙げられる。
【００８９】
前記のトリアジン化合物としては、例えば、２，４−ビス（トリクロロメチル）−６−（４−メトキシフェニル）−１，３，５−トリアジン、２，４−ビス（トリクロロメチル）−６−（４−メトキシナフチル）−１，３，５−トリアジン、２，４−ビス（トリクロロメチル）−６−（４−メトキシスチリル）−１，３，５−トリアジン、２，４−ビス（トリクロロメチル）−６−〔２−（５−メチルフラン−２−イル）エテニル〕−１，３，５−トリアジン、２，４−ビス（トリクロロメチル）−６−〔２−（フラン−２−イル）エテニル〕−１，３，５−トリアジン、２，４−ビス（トリクロロメチル）−６−〔２−（４−ジエチルアミノ−２−メチルフェニル）エテニル〕−１，３，５−トリアジン、２，４−ビス（トリクロロメチル）−６−〔２−（３，４−ジメトキシフェニル）エテニル〕−１，３，５−トリアジン等が挙げられる。
【００９０】
前記のオキシム化合物としては、例えば、Ｏ−アシルオキシム系化合物が挙げられ、その具体例としては、Ｎ−ベンゾイルオキシ−１−（４−フェニルスルファニルフェニル）ブタン−１−オン−２−イミン、Ｎ−ベンゾイルオキシ−１−（４−フェニルスルファニルフェニル）オクタン−１−オン−２−イミン、Ｎ−アセトキシ−１−［９−エチル−６−（２−メチルベンゾイル）−９Ｈ−カルバゾール−３−イル］エタン−１−イミン、Ｎ−アセトキシ−１−［９−エチル−６−｛２−メチル−４−（３，３−ジメチル−２，４−ジオキサシクロペンタニルメチルオキシ）ベンゾイル｝−９Ｈ−カルバゾール−３−イル］エタン−１−イミン等が挙げられる。
【００９１】
また、活性ラジカル発生剤としては、例えば、２，４，６−トリメチルベンゾイルジフェニルホスフィンオキサイド、２，２’−ビス（ｏ−クロロフェニル）−４，４’，５，５’−テトラフェニル−１，２’−ビイミダゾール、１０−ブチル−２−クロロアクリドン、２−エチルアントラキノン、ベンジル、９，１０−フェナンスレンキノン、カンファーキノン、フェニルグリオキシル酸メチル、チタノセン化合物等を用いてもよい。
【００９２】
前記の酸発生剤としては、例えば、４−ヒドロキシフェニルジメチルスルホニウムｐ−トルエンスルホナート、４−ヒドロキシフェニルジメチルスルホニウムヘキサフルオロアンチモネート、４−アセトキシフェニルジメチルスルホニウムｐ−トルエンスルホナート、４−アセトキシフェニル・メチル・ベンジルスルホニウムヘキサフルオロアンチモネート、トリフェニルスルホニウムｐ−トルエンスルホナート、トリフェニルスルホニウムヘキサフルオロアンチモネート、ジフェニルヨードニウムｐ−トルエンスルホナート、ジフェニルヨードニウムヘキサフルオロアンチモネート等のオニウム塩類や、ニトロベンジルトシレート類、ベンゾイントシレート類等を挙げることができる。
前記の重合開始剤（Ｄ）は、単独でも２種以上を組み合わせて用いてもよい。
【００９３】
重合開始剤（Ｄ）の含有量は、樹脂（Ｂ）及び重合性化合物（Ｃ）の合計量１００質量部に対して、好ましくは０．１〜３０質量部であり、より好ましくは１〜２０質量部である。重合開始剤の含有量が、前記の範囲にあると、高感度化して露光時間が短縮され生産性が向上することから好ましい。
【００９４】
溶剤（Ｅ）としては、例えば、エーテル類、芳香族炭化水素類、ケトン類、アルコール類、エステル類、アミド類等が挙げられる。
【００９５】
前記のエーテル類としては、例えば、テトラヒドロフラン、テトラヒドロピラン、１，４−ジオキサン、エチレングリコールモノメチルエーテル、エチレングリコールモノエチルエーテル、エチレングリコールモノプロピルエーテル、エチレングリコールモノブチルエーテル、ジエチレングリコールモノメチルエーテル、ジエチレングリコールモノエチルエーテル、ジエチレングリコールモノブチルエーテル、ジエチレングリコールジメチルエーテル、ジエチレングリコールジエチルエーテル、ジエチレングリコールメチルエチルエーテル、ジエチレングリコールジプロピルエーテル、ジエチレングリコールジブチルエーテル、プロピレングリコールモノメチルエーテルアセテート、プロピレングリコールモノエチルエーテルアセテート、プロピレングリコールモノプロピルエーテルアセテート、エチレングリコールモノメチルエーテルアセテート、エチレングリコールモノエチルエーテルアセテート、ジエチレングリコールモノエチルエーテルアセテート、ジエチレングリコールモノブチルエーテルアセテート等が挙げられる。
【００９６】
前記の芳香族炭化水素類としては、例えば、ベンゼン、トルエン、キシレン、メシチレン等が挙げられる。
前記のケトン類としては、例えば、アセトン、２−ブタノン、２−ヘプタノン、３−ヘプタノン、４−ヘプタノン、４−メチル−２−ペンタノン、４−ヒドロキシ−４−メチル−２−ペンタノン、シクロペンタノン、シクロヘキサノン等が挙げられる。
前記のアルコール類としては、例えば、メタノール、エタノール、プロパノール、ブタノール、ヘキサノール、シクロヘキサノール、エチレングリコール、グリセリン等が挙げられる。
【００９７】
前記のエステル類としては、例えば、酢酸エチル、酢酸ｎ−ブチル、酢酸イソブチル、ギ酸アミル、酢酸イソアミル、酢酸イソブチル、プロピオン酸ブチル、酪酸イソプロピル、酪酸エチル、酪酸ブチル、アルキルエステル類、乳酸メチル、乳酸エチル、乳酸ブチル、メトキシ酢酸メチル、メトキシ酢酸エチル、メトキシ酢酸ブチル、エトキシ酢酸メチル、エトキシ酢酸エチル、３−メトキシプロピオン酸メチル、３−メトキシプロピオン酸エチル、３−エトキシプロピオン酸メチル、３−エトキシプロピオン酸エチル、２−メトキシプロピオン酸メチル、２−メトキシプロピオン酸エチル、２−メトキシプロピオン酸プロピル、２−エトキシプロピオン酸メチル、２−エトキシプロピオン酸エチル、２−メトキシ−２−メチルプロピオン酸メチル、２−エトキシ−２−メチルプロピオン酸エチル、ピルビン酸メチル、ピルビン酸エチル、ピルビン酸プロピル、アセト酢酸メチル、アセト酢酸エチル、３−メトキシブチルアセテート、３−メチル−３−メトキシブチルアセテート、γ−ブチロラクトン等が挙げられる。
【００９８】
前記のアミド類としては、例えば、Ｎ，Ｎ−ジメチルホルムアミド、Ｎ，Ｎ−ジメチルアセトアミド、Ｎ−メチルピロリドン等が挙げられる。
これらの溶剤は、単独でも２種類以上を組み合わせて用いてもよい。
【００９９】
着色樹脂組成物における溶剤（Ｅ）の含有量は、着色樹脂組成物に対して、好ましくは７０〜９５質量％であり、より好ましくは７５〜９０質量％である。
【０１００】
本発明の着色樹脂組成物は、必要に応じて、界面活性剤、充填剤、他の高分子化合物、密着促進剤、酸化防止剤、紫外線吸収剤、光安定剤、連鎖移動剤等の種々の添加剤を含んでもよい。
【０１０１】
本発明の化合物は、染料として有用である。また、本発明の化合物は、モル吸光係数が高く、かつ有機溶媒への溶解性を示すことから、特に、液晶表示装置等の表示装置のカラーフィルタに用いられる染料として有用である。
また、本発明の化合物を含む着色樹脂組成物は、カラーフィルタをその構成部品の一部として備える表示装置（例えば、公知の液晶表示装置、有機ＥＬ装置等）、固体撮像素子等の種々の着色画像に関連する機器に、公知の態様で利用することができる。
【実施例】
【０１０２】
次に実施例を挙げて、本発明をさらに具体的に説明する。
実施例及び比較例中、含有量ないし使用量を表す％及び部は、特記ない限り、質量基準である。
また、化合物の構造はＮＭＲ（ＪＭＭ−ＥＣＡ−５００；日本電子（株）製）で確認した。
【０１０３】
〔実施例１〕
アントラニル酸（東京化成工業（株）製）１３．７部に水８０部を加えた後、水酸化ナトリウム０．４部を加え、溶解させた。氷冷下、３５％亜硝酸ナトリウム水溶液１９．７部を加え、ついで３５％塩酸２６．２部を少しずつ加えて溶解させ２時間撹拌し、ジアゾニウム塩を含む懸濁液を得た。
【０１０４】
一方、アセト酢酸エチルエステル（東京化成工業（株）製）２６．０部、シアノ酢酸メチル（東京化成製）２０．８部及び２−アミノエタノール（和光純薬工業（株）製）２４．４部を混合し、９５℃で２４時間攪拌した。上記の反応液を室温まで冷却後、水３０４部、３５％塩酸３５部の混合液中に添加し室温で１時間攪拌した。析出した結晶を吸引ろかの残渣として取得後乾燥し、式（ｃ−１）で表される２０．４部を得た。
【０１０５】
2011148991.tif 000018
【０１０６】
ついで、式（ｃ−１）で表される化合物２０．４部を水１００部に懸濁させ、水酸化ナトリウムを用いて、ｐＨを９．０に調整した。ここに、前記ジアゾニウム塩を含む懸濁液を１５分かけてポンプで滴下した。滴下終了後、さらに３０分間撹拌することで黄色の懸濁液を得た。１時間攪拌した。濾過して得た黄色固体を減圧下６０℃で乾燥し、式（ｄ−１）で表される化合物を３３．５部得た。
【０１０７】
2011148991.tif 000019
【０１０８】
次に式（ｄ−１）で表される化合物３４．２部に、式（e-１）で表される酸クロライド（和光純薬工業（株）製）２７．２８部を加え、Ｎ−メチルピロリドン中、７０℃で、３時間攪拌した。反応終了後、水にチャージし、式（Ｉ−１）で表される化合物を４２．３５部得た。得られた化合物は黄色を呈し、極大吸収波長（λmax）をエチルラクテート溶媒中で測定したところ、４３０nmを示した。また、1H-NMRにて構造を確認した。
1H-NMR：2.04 (3H, s), 2.56 (3H, s), 4.14 (2H, t, J = 5.4 Hz), 4.32 (2H, t, J = 5.4 Hz), 4.56 (2H, s), 7.36 (1H, t, J = 6.9 Hz), 7.74 (1H, t, J = 7.7 Hz), 8.02 (1H, d, J = 7.7 Hz), 8.03 (1H, d, J = 6.9 Hz)
【０１０９】
2011148991.tif 000020
【０１１０】
〔実施例２〕
式（e−１）で表される酸クロライド２７．２８部を式（e−２）で表される酸クロライド３０．０部に代える以外は実施例１と同様にして、式（Ｉ−２）で表される化合物４３．６部を得た。得られた化合物は黄色を呈し、極大吸収波長（λmax）をエチルラクテート溶媒中で測定したところ、４３０nmを示した。また、1H-NMRにて構造を確認した。
1H-NMR：2.04 (3H, s), 2.56 (3H, s), 4.14 (2H, t, J = 5.4 Hz), 4.32 (2H, t, J = 5.4 Hz), 4.56 (2H, s), 7.36 (1H, t, J = 6.9 Hz), 7.74 (1H, t, J = 7.7 Hz), 8.02 (1H, d, J = 7.7 Hz), 8.03 (1H, d, J = 6.9 Hz)
【０１１１】
2011148991.tif 000021
【０１１２】
〔実施例３〕
５−（Ｎ−アセチルアミノ）アントラニル酸（東京化成工業（株）製）１９．４部に水８０部を加えた後、水酸化ナトリウム０．４部を加え、溶解させた。氷冷下、３５％亜硝酸ナトリウム水溶液１９．７部を加え、ついで３５％塩酸２６．２部を少しずつ加えて溶解させ２時間撹拌し、ジアゾニウム塩を含む懸濁液を得た。
ついで、式（ｃ−１）で表される化合物２０．４部を水１００部に懸濁させ、水酸化ナトリウムを用いて、ｐＨを９．０に調整した。ここに、前記ジアゾニウム塩を含む懸濁液を１５分かけてポンプで滴下した。滴下終了後、さらに３０分間撹拌することで黄色の懸濁液を得た。１時間攪拌した。濾過して得た黄色固体を減圧下６０℃で乾燥し、式（ｄ−２）で表される化合物を３９．１部得た。
【０１１３】
2011148991.tif 000022
【０１１４】
次に式（ｄ−２）で表される化合物３９．９部に、式（e-３）で表される酸クロライド（和光純薬工業（株）製）３２．９部を加え、Ｎ−メチルピロリドン中、７０℃で、３時間攪拌した。反応終了後、水にチャージし、式（Ｉ−４９）で表される化合物を５０．１部得た。得られた化合物は橙色を呈し、極大吸収波長（λmax）をエチルラクテート溶媒中で測定したところ、４５９nmを示した。また、1H-NMRにて構造を確認した。
1H-NMR：1.05 (3H, m), 2.06(3H, s), 2.37 (2H, t), 2.40(2H, t), 2.48 (3H, m), 3.83 (2H, m), 3.91 (2H, m) , 5.08 (2H, m) ,7.88 (1H, s), 7.89 (1H, s),8.29 (1H,m), 10.2 (1H, d)
【０１１５】
2011148991.tif 000023
【０１１６】
〔実施例４〕
４−フッ化アントラニル酸（東京化成工業（株）製）１５．５部に水８０部を加えた後、水酸化ナトリウム０．４部を加え、溶解させた。氷冷下、３５％亜硝酸ナトリウム水溶液１９．７部を加え、ついで３５％塩酸２６．２部を少しずつ加えて溶解させ２時間撹拌し、ジアゾニウム塩を含む懸濁液を得た。
ついで、式（ｃ−１）で表される化合物２０．４部を水１００部に懸濁させ、水酸化ナトリウムを用いて、ｐＨを９．０に調整した。ここに、前記ジアゾニウム塩を含む懸濁液を１５分かけてポンプで滴下した。滴下終了後、さらに３０分間撹拌することで黄色の懸濁液を得た。１時間攪拌した。濾過して得た黄色固体を減圧下６０℃で乾燥し、式（ｄ−３）で表される化合物を３５．１部得た。
【０１１７】
2011148991.tif 000024
【０１１８】
次に式（ｄ−３）で表される化合物３６．０部に、式（e-２）で表される酸クロライド（和光純薬工業（株）製）３０．０部を加え、Ｎ−メチルピロリドン中、７０℃で、３時間攪拌した。反応終了後、水にチャージし、式（Ｉ−５６）で表される化合物を４４．０部得た。得られた化合物は橙色を呈し、極大吸収波長（λmax）をエチルラクテート溶媒中で測定したところ、４２４nmを示した。また、1H-NMRにて構造を確認した。
1H-NMR：2.48 (2H, m), 2.51 (2H, m), 2.66(3H, s), 3.55 (3H, s), 4.08(2H, t), 4.20 (2H, t), 7.11 (1H, m), 7.61 (1H, m), 8.04 (1H,m), 15.4 (1H, s)
【０１１９】
2011148991.tif 000025
【０１２０】
〔比較例１〕
実施例１において、アントラニル酸の代わりに２−アミノテレフタル酸を用い、前記式（ｃ−１）で表される化合物の代わりに式（ｃ−３）で表される化合物を用い、実施例１の化合物（ｄ−１）と同様に合成し、式（ｄ−２）で表される化合物を得た。
【０１２１】
2011148991.tif 000026
【０１２２】
〈溶解性の評価〉
実施例１及び比較例１で得られた化合物のプロピレングリコールモノメチルエーテル（以下、ＰＧＭＥと略す）、エチルラクテート（以下、ＥＬと略す）、Ｎ−メチルピロリドン（以下、ＮＭＰと略す）への溶解度を、以下のようにして求めた。
５０ｍＬサンプル管中、下記の割合で化合物と上記溶媒とを混合し、その後、サンプル管を密栓し、３０℃で３分間超音波振動機にて振動させた。ついで室温で３０分間放置後、吸引濾過し、その残渣を目視で観察した。不溶物が確認できなかった場合、溶解性は良好であると判断して表２に○と記し、不溶物が確認できた場合は、溶解性は不良であると判断して表２に×と記した。結果を、表１に示す。
０．５％  化合物０．０１ｇ、溶媒２ｇ
１％      化合物０．０１ｇ、溶媒１ｇ
３％      化合物０．０３ｇ、溶媒１ｇ
【０１２３】
【表２】
2011148991.tif 000027
【０１２４】
〔実施例５〕
〈着色樹脂組成物の調製〉
（Ａ）着色剤：化合物（Ｉ−１）：実施例１で合成した化合物            ２０部
（Ｂ−１）樹脂：メタクリル酸／ベンジルメタクリレート共重合体（モル比；３０／７０；重量平均分子量１０７００、酸価７０ｍｇＫＯＨ／ｇ）                ７０部
（Ｃ−１）重合性化合物：ジペンタエリスリトールヘキサアクリレート（日本化薬社製）                                                                    ３０部
（Ｄ−１）光重合開始剤：ベンジルジメチルケタール（イルガキュア６５１；ＢＡＳＦジャパン社製）                                                          １５部
（Ｅ−１）溶剤：プロピレングリコールモノメチルエーテル            ６８０部
を混合して着色樹脂組成物を得る。
【０１２５】
〈カラーフィルタの作製〉
ガラス上に、上記で得た着色樹脂組成物をスピンコート法で塗布し、揮発成分を揮発させる。冷却後、パターンを有する石英ガラス製フォトマスク及び露光機を用いて光照射する。光照射後に、水酸化カリウム水溶液で現像し、オーブンで２００℃に加熱してカラーフィルタを得る。
【０１２６】
〔実施例６〕
実施例１で合成した化合物（Ｉ−１）を、実施例２で合成した化合物（Ｉ−２）に代える以外は、実施例５と同様にして、着色樹脂組成物及びカラーフィルタを得る。
【０１２７】
〔実施例７〕
実施例１で合成した化合物（Ｉ−１）を、実施例３で合成した化合物（Ｉ−４９）に代える以外は、実施例５と同様にして、着色樹脂組成物及びカラーフィルタを得る。
【０１２８】
〔実施例８〕
実施例１で合成した化合物（Ｉ−１）を、実施例４で合成した化合物（Ｉ−５６）に代える以外は、実施例５と同様にして、着色樹脂組成物及びカラーフィルタを得る。
【０１２９】
表２の結果から、本発明の化合物は有機溶媒に対して高い溶解度を示すことがわかる。また、当該化合物を含む着色樹脂組成物は、異物の発生が少なく、高品質なカラーフィルタを作製することが可能である。
【産業上の利用可能性】
【０１３０】
本発明の化合物は、有機溶媒への溶解性に優れる。